(57)【要約】【課題】冷蔵室を構成する複数の領域の各々の温度上昇に対して冷蔵室の温度を均一に保つことが可能な冷蔵システムを提供する。【解決手段】この冷蔵システム１００は、複数の領域を含む冷凍倉庫１と、冷凍倉庫１を冷却する冷却器３ａ〜３ｄと、冷凍倉庫１の複数の領域間を双方向に送風可能に構成されているファン４ａ〜４ｄと、冷凍倉庫１内の温度を測定する複数の温度センサ５ａ〜５ｄと、複数の温度センサ５ａ〜５ｄの測定結果に基づいて、冷凍倉庫１内の複数の領域のうち相対的に温度の低い領域から相対的に温度の高い領域に向かって空気を送るようにファン４ａ〜４ｄを駆動させる制御装置２とを備える。【選択図】図１
2015152234.tif 000002
【特許請求の範囲】
【請求項１】
複数の領域を含む冷蔵室と、
前記冷蔵室を冷却する空調機と、
前記冷蔵室内の複数の領域間を双方向に送風可能に構成されている送風機と、
前記冷蔵室内の温度を測定する複数の温度センサと、
前記複数の温度センサの測定結果に基づいて、前記冷蔵室内の複数の領域のうち相対的に温度の低い領域から相対的に温度の高い領域に向かって空気を送るように前記送風機を駆動させる制御部とを備える、冷蔵システム。
【請求項２】
前記制御部は、前記複数の温度センサの測定結果と、前記冷蔵室内の設定温度に基づく閾値温度とに基づいて、前記閾値温度より低い温度の領域から前記閾値温度より高い温度の領域に向かって空気を送るように前記送風機を駆動させるように構成されている、請求項１に記載の冷蔵システム。
【請求項３】
前記複数の温度センサは、前記冷蔵室内の水平方向において互いに異なる位置に配置されており、
前記制御部は、前記複数の温度センサの測定結果に基づいて、前記冷蔵室内の水平方向において相対的に温度の低い領域から前記冷蔵室内の水平方向において相対的に温度の高い領域に向かって空気を送るように前記送風機を駆動させるように構成されている、請求項１または２に記載の冷蔵システム。
【請求項４】
前記制御部は、前記複数の温度センサの測定結果に基づいて、前記空調機の出力を維持した状態で、前記冷蔵室内の複数の領域のうち相対的に温度の低い領域から相対的に温度の高い領域に向かって空気を送るように前記送風機を駆動させるように構成されている、請求項１〜３のいずれか１項に記載の冷蔵システム。
【請求項５】
前記送風機は、複数設けられており、
前記制御部は、前記複数の温度センサの測定結果に基づいて、前記冷蔵室内の複数の領域のうち相対的に温度の低い領域から相対的に温度の高い領域に向かって空気を送るように、複数の前記送風機のうち相対的に温度の低い領域に配置された前記送風機を駆動させるように構成されている、請求項１〜４のいずれか１項に記載の冷蔵システム。
【請求項６】
前記送風機は、風向を変更可能に構成されており、
前記制御部は、前記複数の温度センサの測定結果に基づいて、前記冷蔵室内の複数の領域のうち相対的に温度の低い領域から相対的に温度の高い領域に向かって空気を送るように、前記送風機の風向を調整して駆動させるように構成されている、請求項１〜５のいずれか１項に記載の冷蔵システム。
【請求項７】
前記空調機は、前記冷蔵室の複数の領域ごとに設けられており、
前記制御部は、前記冷蔵室内の複数の領域のうち相対的に温度の低い領域の前記空調機からの冷気を相対的に温度の高い領域に向かって送るように前記送風機を駆動させるように構成されている、請求項１〜６のいずれか１項に記載の冷蔵システム。
【発明の詳細な説明】
【技術分野】
【０００１】
この発明は、冷蔵システムに関し、特に、冷蔵室を備えた冷蔵システムに関する。
【背景技術】
【０００２】
従来、冷蔵室を備えた冷蔵システムが知られている（たとえば、特許文献１参照）。
【０００３】
上記特許文献１には、荷物室（冷蔵室）と、荷物室を冷却する空調機と、荷物室内下部の冷たい空気を通風空間を介して荷物室内上部のダクトから吹き出させるファンと、温度を測定する複数の温度センサとを備える保冷コンテナ（冷蔵システム）が開示されている。この保冷コンテナでは、複数の温度センサが感知した温度差に基づいて、一定の温度差が生じた場合にファンを駆動させて荷物室内下部の冷たい空気を荷物室内上部に送るように構成されている。
【先行技術文献】
【特許文献】
【０００４】
【特許文献１】特開２００４−１５０７３５号公報
【発明の概要】
【発明が解決しようとする課題】
【０００５】
しかしながら、上記特許文献１の保冷コンテナは、複数の温度センサが感知した温度差に基づいて、一定の温度差が生じた場合にファンを駆動させて荷物室内下部（一方領域）の冷たい空気を荷物室内上部（他方領域）に送るように構成されているため、たとえば、荷物室内下部に設けられた扉が開放されたことに起因して荷物室内下部（一方領域）の温度が上昇した場合などには、ファンは駆動されない。このため、荷物室内下部（一方領域）の温度が上昇した場合には、荷物室内の温度を均一に保つことが困難であるという不都合がある。つまり、上記特許文献１の保冷コンテナでは、複数の領域を含む荷物室内の複数の領域の各々の温度上昇に対して温度を均一に保つことが困難であるという問題点がある。
【０００６】
この発明は、上記のような課題を解決するためになされたものであり、この発明の１つの目的は、冷蔵室を構成する複数の領域の各々の温度上昇に対して冷蔵室の温度を均一に保つことが可能な冷蔵システムを提供することである。
【課題を解決するための手段】
【０００７】
この発明の一の局面による冷蔵システムは、複数の領域を含む冷蔵室と、冷蔵室を冷却する空調機と、冷蔵室内の複数の領域間を双方向に送風可能に構成されている送風機と、冷蔵室内の温度を測定する複数の温度センサと、複数の温度センサの測定結果に基づいて、冷蔵室内の複数の領域のうち相対的に温度の低い領域から相対的に温度の高い領域に向かって空気を送るように送風機を駆動させる制御部とを備える。
【０００８】
この発明の一の局面による冷蔵システムでは、上記のように、冷蔵室内の複数の領域間を双方向に送風可能に構成されている送風機、および、複数の温度センサの測定結果に基づいて、冷蔵室内の複数の領域のうち相対的に温度の低い領域から相対的に温度の高い領域に向かって空気を送るように送風機を駆動させる制御部を設けることによって、冷蔵室内の複数の領域のうちいずれの領域の温度が上昇した場合でも、送風機により他の相対的に温度の低い領域の冷気を送ることができるので、冷蔵室を構成する複数の領域の各々の温度上昇に対して冷蔵室の温度を均一に保つことができる。また、送風機を駆動させることによって、温度を均一に保つことができるので、空調機の出力を必要以上に上げる必要がない。これにより、省エネルギー化を図りながら、冷蔵室の温度を均一に保つことができる。
【０００９】
上記一の局面による冷蔵システムにおいて、好ましくは、制御部は、複数の温度センサの測定結果と、冷蔵室内の設定温度に基づく閾値温度とに基づいて、閾値温度より低い温度の領域から閾値温度より高い温度の領域に向かって空気を送るように送風機を駆動させるように構成されている。このように構成すれば、冷蔵室を構成する複数の領域の各々の温度上昇に対して冷蔵室内の温度を容易に閾値温度より低い温度で均一にすることができる。
【００１０】
上記一の局面による冷蔵システムにおいて、好ましくは、複数の温度センサは、冷蔵室内の水平方向において互いに異なる位置に配置されており、制御部は、複数の温度センサの測定結果に基づいて、冷蔵室内の水平方向において相対的に温度の低い領域から冷蔵室内の水平方向において相対的に温度の高い領域に向かって空気を送るように送風機を駆動させるように構成されている。このように構成すれば、冷蔵室を構成する複数の領域の各々の温度上昇に対して冷蔵室内の温度を水平方向において容易に均一にすることができる。
【００１１】
上記一の局面による冷蔵システムにおいて、好ましくは、制御部は、複数の温度センサの測定結果に基づいて、空調機の出力を維持した状態で、冷蔵室内の複数の領域のうち相対的に温度の低い領域から相対的に温度の高い領域に向かって空気を送るように送風機を駆動させるように構成されている。このように構成すれば、空調機の出力を上げることなく相対的に温度の高い領域を冷やすことができるので、省エネルギー化を図りながら、冷蔵室の温度を容易に均一にすることができる。
【００１２】
上記一の局面による冷蔵システムにおいて、好ましくは、送風機は、複数設けられており、制御部は、複数の温度センサの測定結果に基づいて、冷蔵室内の複数の領域のうち相対的に温度の低い領域から相対的に温度の高い領域に向かって空気を送るように、複数の送風機のうち相対的に温度の低い領域に配置された送風機を駆動させるように構成されている。このように構成すれば、相対的に温度の低い領域の空気をその領域に配置された送風機により容易に温度の高い領域に向かって送り出すことができる。
【００１３】
上記一の局面による冷蔵システムにおいて、好ましくは、送風機は、風向を変更可能に構成されており、制御部は、複数の温度センサの測定結果に基づいて、冷蔵室内の複数の領域のうち相対的に温度の低い領域から相対的に温度の高い領域に向かって空気を送るように、送風機の風向を調整して駆動させるように構成されている。このように構成すれば、送風機を複数の領域にそれぞれ設けなくても相対的に温度の低い領域の空気を相対的に温度の高い領域に向かって送ることができるので、送風機の数が増加するのを抑制しつつ、冷蔵室を構成する複数の領域の各々の温度上昇に対して冷蔵室の温度を均一に保つことができる。
【００１４】
上記一の局面による冷蔵システムにおいて、好ましくは、空調機は、冷蔵室の複数の領域ごとに設けられており、制御部は、冷蔵室内の複数の領域のうち相対的に温度の低い領域の空調機からの冷気を相対的に温度の高い領域に向かって送るように送風機を駆動させるように構成されている。このように構成すれば、相対的に温度の低い領域の空調機の冷気を相対的に温度の高い領域に向かって送ることにより、空調機の出力を上げることなく、効率よく冷蔵室の温度を均一にすることができる。
【発明の効果】
【００１５】
本発明によれば、上記のように、冷蔵室を構成する複数の領域の各々の温度上昇に対して冷蔵室の温度を均一に保つことができる。
【図面の簡単な説明】
【００１６】
【図１】本発明の第１実施形態による冷蔵システムの概略的な全体構成を示した平面図である。
【図２】本発明の第１実施形態による冷蔵システムのファンによる送風を説明するための平面図である。
【図３】本発明の第１実施形態による冷蔵システムの冷凍倉庫内のＸ方向の温度分布を説明するための図である。
【図４】本発明の第１実施形態による冷蔵システムの制御装置による冷却制御処理を示したフローチャートである。
【図５】本発明の第２実施形態による冷蔵システムの概略的な全体構成を示した平面図である。
【図６】本発明の第２実施形態による冷蔵システムのファンによる送風を説明するための第１平面図である。
【図７】本発明の第２実施形態による冷蔵システムのファンによる送風を説明するための第２平面図である。
【発明を実施するための形態】
【００１７】
以下、本発明の実施形態を図面に基づいて説明する。
【００１８】
（第１実施形態）
図１〜図３を参照して、本発明の第１実施形態による冷蔵システム１００の構成について説明する。
【００１９】
第１実施形態による冷蔵システム１００は、物品を低温での温度管理下で冷蔵（冷凍）保存することが可能なように構成されている。また、冷蔵システム１００は、図１に示すように、冷凍倉庫１と、制御装置２と、冷却器３ａ、３ｂ、３ｃおよび３ｄと、ファン４ａ、４ｂ、４ｃおよび４ｄと、温度センサ５ａ、５ｂ、５ｃおよび５ｄとを備える。なお、冷凍倉庫１は、本発明の「冷蔵室」の一例であり、制御装置２は、本発明の「制御部」の一例である。また、冷却器３ａ〜３ｄは、本発明の「空調機」の一例であり、ファン４ａ〜４ｄは、本発明の「送風機」の一例である。
【００２０】
冷凍倉庫１は、冷蔵（冷凍）保蔵される物品が保管されるように構成されている。また、冷凍倉庫１は、扉（図示せず）を介して、物品が搬入または搬出される。また、冷凍倉庫１は、断熱材を含む材料により、床、壁、天井が形成されている。また、冷凍倉庫１は、平面方向（ＸＹ方向）において、仮想的に分けられた複数の領域を含む。たとえば、冷凍倉庫１は、平面方向において、Ｘ１方向およびＹ２方向（左奥）の領域、Ｘ１方向およびＹ１方向（左手前）の領域、Ｘ２方向およびＹ２方向（右奥）の領域、および、Ｘ２方向およびＹ１方向（右手前）の領域を含む。
【００２１】
制御装置２は、冷蔵システム１００を統括的に制御するように構成されている。具体的には、制御装置２は、冷凍倉庫１内の温度が設定された温度になるように冷却器３ａ〜３ｄおよびファン４ａ〜４ｄを制御するように構成されている。つまり、制御装置２は、温度センサ５ａ〜５ｄの測定結果に基づいて、冷却器３ａ〜３ｄの出力およびファン４ａ〜４ｄの駆動を制御するように構成されている。
【００２２】
冷却器３ａ〜３ｄは、冷凍倉庫１を冷却するように構成されている。また、冷却器３ａ〜３ｄは、それぞれ、空気調和機を含む、いわゆる蒸気圧縮式の冷凍サイクル装置からなる。すなわち、冷却器３ａ（３ｂ〜３ｄ）は、図示しない圧縮機、凝縮器（室外側熱交換器）、膨張弁および蒸発器（室内側熱交換器）が冷媒配管を介して一巡するように接続された冷凍サイクル装置として構成されている。また、このような冷凍サイクル装置においては、たとえば、二酸化炭素（ＣＯ２）冷媒などの自然冷媒が用いられる。また、冷却器３ａ〜３ｄは、冷凍倉庫１の複数の領域ごとに１つずつ配置されている。具体的には、冷却器３ａは、冷凍倉庫１のＸ１方向およびＹ２方向の領域に配置され、冷却器３ｂは、冷凍倉庫１のＸ１方向およびＹ１方向の領域に配置されている。また、冷却器３ｃは、冷凍倉庫１のＸ２方向およびＹ２方向の領域に配置され、冷却器３ｄは、冷凍倉庫１のＸ２方向およびＹ１方向の領域に配置されている。
【００２３】
ファン４ａ〜４ｄは、冷凍倉庫１内の空気を送風するように構成されている。具体的には、ファン４ａ〜４ｄは、冷凍倉庫１内の複数の領域間を双方向に送風可能に構成されている。つまり、ファン４ａの駆動により、冷凍倉庫１のＹ２方向の領域からＹ１方向の領域に向かって空気が送られる。また、ファン４ｂの駆動により、冷凍倉庫１のＸ１方向の領域からＸ２方向の領域に向かって空気が送られる。また、ファン４ｃの駆動により、冷凍倉庫１のＸ２方向の領域からＸ１方向の領域に向かって空気が送られる。また、ファン４ｄの駆動により、冷凍倉庫１のＹ１方向の領域からＹ２方向の領域に向かって空気が送られる。また、これらのファン４ａ〜４ｄを組み合わせて駆動して、任意の方向に向かって空気が送られる。たとえば、ファン４ａおよび４ｂの駆動により、冷凍倉庫１のＸ１方向およびＹ２方向の領域からＸ２方向およびＹ１方向の領域に向かって空気が送られる。
【００２４】
温度センサ５ａ〜５ｄは、冷凍倉庫１内の温度を測定するように構成されている。また、温度センサ５ａ〜５ｄは、それぞれ、制御装置２に接続されている。また、複数の温度センサ５ａ〜５ｄは、冷凍倉庫１内の水平方向（ＸＹ方向）において互いに異なる位置に配置されている。具体的には、温度センサ５ａは、冷凍倉庫１内のＹ２方向側に配置されている。また、温度センサ５ｂは、冷凍倉庫１内のＸ１方向側に配置されている。また、温度センサ５ｃは、冷凍倉庫１内のＸ２方向側に配置されている。また、温度センサ５ｄは、冷凍倉庫１内のＹ１方向側に配置されている。これにより、温度センサ５ａ〜５ｄによる温度測定に基づいて、図３に示すように、冷凍倉庫１内の水平方向（ＸＹ方向）における温度分布を算出することが可能である。
【００２５】
ここで、第１実施形態では、制御装置２は、図２に示すように、複数の温度センサ５ａ〜５ｄの測定結果に基づいて、冷凍倉庫１内の複数の領域のうち相対的に温度の低い領域から相対的に温度の高い領域に向かって空気を送るようにファン４ａ〜４ｄを駆動させるように構成されている。具体的には、制御装置２は、複数の温度センサ５ａ〜５ｄの測定結果と、冷凍倉庫１内の設定温度に基づく閾値温度とに基づいて、閾値温度より低い温度の領域から閾値温度より高い温度の領域に向かって空気を送るようにファン４ａ〜４ｄを駆動させるように構成されている。なお、閾値温度は、設定温度より所定の温度（たとえば、２℃）だけ高い温度に設定されている。また、閾値温度は、季節や立地条件などに応じて設定される。
【００２６】
また、制御装置２は、複数の温度センサ５ａ〜５ｄの測定結果に基づいて、冷凍倉庫１内の水平方向（ＸＹ方向）において相対的に温度の低い領域から冷蔵室内の水平方向において相対的に温度の高い領域に向かって空気を送るようにファン４ａ〜４ｄを駆動させるように構成されている。つまり、制御装置２は、複数の温度センサ５ａ〜５ｄの測定結果に基づいて算出した冷凍倉庫１内の水平方向（ＸＹ方向）における温度分布に基づいて、水平方向における温度分布が均一になるようにファン４ａ〜４ｄを駆動させるように構成されている。
【００２７】
また、制御装置２は、複数の温度センサ５ａ〜５ｄの測定結果に基づいて、冷却器３ａ〜３ｄの出力を維持した状態で、冷凍倉庫１内の複数の領域のうち相対的に温度の低い領域から相対的に温度の高い領域に向かって空気を送るようにファン４ａ〜４ｄを駆動させるように構成されている。具体的には、制御装置２は、複数の温度センサ５ａ〜５ｄのうち少なくとも１つの温度センサの測定温度が閾値温度より高く、かつ、少なくとも１つの温度センサの測定温度が閾値温度より低い場合、冷却器３ａ〜３ｄの出力を維持した状態で、冷凍倉庫１内の複数の領域のうち相対的に温度の低い領域から相対的に温度の高い領域に向かって空気を送るようにファン４ａ〜４ｄを駆動させるように構成されている。また、制御装置２は、複数の温度センサ５ａ〜５ｄの全ての測定温度が閾値温度より高い温度であった場合、冷却器３ａ〜３ｄの出力を上げる制御を行うように構成されている。
【００２８】
また、制御装置２は、複数の温度センサ５ａ〜５ｄの測定結果に基づいて、冷凍倉庫１内の複数の領域のうち相対的に温度の低い領域から相対的に温度の高い領域に向かって空気を送るように、複数のファン４ａ〜４ｄのうち相対的に温度の低い領域に配置されたファン４ａ〜４ｄを駆動させるように構成されている。また、制御装置２は、冷凍倉庫１内の複数の領域のうち相対的に温度の低い領域の冷却器３ａ〜３ｄからの冷気を相対的に温度の高い領域に向かって送るようにファン４ａ〜４ｄを駆動させるように構成されている。
【００２９】
次に、図４を参照して、第１実施形態による冷蔵システム１００の制御装置２による冷却制御処理について説明する。この冷却制御処理は、冷蔵システム１００が稼働中に継続的に行われる。
【００３０】
図４のステップＳ１において、閾値温度を超える温度を測定した温度センサ５ａ〜５ｄがあるか否かが判断される。閾値温度を超える温度を測定した温度センサが１つも無ければ、ステップＳ１の判断を繰り返す。閾値温度を超える温度を測定した温度センサが少なくとも１つあればステップＳ２に進む。
【００３１】
ステップＳ２において、全ての温度センサ５ａ〜５ｄの測定温度が閾値温度を超えているか否かが判断される。少なくとも１つの温度センサの測定温度が閾値温度を超えていなければ、ステップＳ３に進み、全ての温度センサ５ａ〜５ｄの測定温度が閾値温度を超えていれば、ステップＳ４に進む。
【００３２】
ステップＳ３において、ファン４ａ〜４ｄのうち少なくとも１つが駆動される。具体的には、冷凍倉庫１内の複数の領域のうち相対的に温度の低い領域から相対的に温度の高い領域に向かって空気を送るようにファン４ａ〜４ｄが駆動される。その後、冷却制御処理が終了される。
【００３３】
ステップＳ４において、冷却器３ａ〜３ｄの出力が上げられる。その後、冷却制御処理が終了される。
【００３４】
上記第１実施形態では、以下のような効果を得ることができる。
【００３５】
第１実施形態では、上記のように、冷凍倉庫１内の複数の領域間を双方向に送風可能に構成されているファン４ａ〜４ｄ、および、複数の温度センサ５ａ〜５ｄの測定結果に基づいて、冷凍倉庫１内の複数の領域のうち相対的に温度の低い領域から相対的に温度の高い領域に向かって空気を送るようにファン４ａ〜４ｄを駆動させる制御装置２を設けることによって、冷凍倉庫１内の複数の領域のうちいずれの領域の温度が上昇した場合でも、ファン４ａ〜４ｄにより他の相対的に温度の低い領域の冷気を送ることができるので、冷凍倉庫１を構成する複数の領域の各々の温度上昇に対して冷凍倉庫１の温度を均一に保つことができる。また、ファン４ａ〜４ｄを駆動させることによって、温度を均一に保つことができるので、冷却器３ａ〜３ｄの出力を必要以上に上げる必要がない。これにより、省エネルギー化を図りながら、冷凍倉庫１の温度を均一に保つことができる。
【００３６】
また、第１実施形態では、上記のように、制御装置２を、複数の温度センサ５ａ〜５ｄの測定結果と、冷凍倉庫１内の設定温度に基づく閾値温度とに基づいて、閾値温度より低い温度の領域から閾値温度より高い温度の領域に向かって空気を送るようにファン４ａ〜４ｄを駆動させるように構成する。これにより、冷凍倉庫１を構成する複数の領域の各々の温度上昇に対して冷凍倉庫１内の温度を容易に閾値温度より低い温度で均一にすることができる。
【００３７】
また、第１実施形態では、上記のように、複数の温度センサ５ａ〜５ｄを、冷凍倉庫１内の水平方向（ＸＹ方向）において互いに異なる位置に配置し、制御装置２を、複数の温度センサ５ａ〜５ｄの測定結果に基づいて、冷凍倉庫１内の水平方向において相対的に温度の低い領域から冷蔵室内の水平方向において相対的に温度の高い領域に向かって空気を送るようにファン４ａ〜４ｄを駆動させるように構成する。これにより、冷凍倉庫１を構成する複数の領域の各々の温度上昇に対して冷凍倉庫１内の温度を水平方向（ＸＹ方向）において容易に均一にすることができる。
【００３８】
また、第１実施形態では、上記のように、制御装置２を、複数の温度センサ５ａ〜５ｄの測定結果に基づいて、冷却器３ａ〜３ｄの出力を維持した状態で、冷凍倉庫１内の複数の領域のうち相対的に温度の低い領域から相対的に温度の高い領域に向かって空気を送るようにファン４ａ〜４ｄを駆動させるように構成する。これにより、冷却器３ａ〜３ｄの出力を上げることなく相対的に温度の高い領域を冷やすことができるので、省エネルギー化を図りながら、冷凍倉庫１の温度を容易に均一にすることができる。
【００３９】
また、第１実施形態では、上記のように、ファン４ａ〜４ｄを複数設け、制御装置２を、複数の温度センサ５ａ〜５ｄの測定結果に基づいて、冷凍倉庫１内の複数の領域のうち相対的に温度の低い領域から相対的に温度の高い領域に向かって空気を送るように、複数のファン４ａ〜４ｄのうち相対的に温度の低い領域に配置されたファン４ａ〜４ｄを駆動させるように構成する。これにより、相対的に温度の低い領域の空気をその領域に配置されたファン４ａ〜４ｄにより容易に温度の高い領域に向かって送り出すことができる。
【００４０】
また、第１実施形態では、上記のように、冷却器３ａ〜３ｄを、冷凍倉庫１の複数の領域ごとに設け、制御装置２を、冷凍倉庫１内の複数の領域のうち相対的に温度の低い領域の冷却器３ａ〜３ｄからの冷気を相対的に温度の高い領域に向かって送るようにファン４ａ〜４ｄを駆動させるように構成する。これにより、相対的に温度の低い領域の冷却器３ａ〜３ｄの冷気を相対的に温度の高い領域に向かって送ることによって、冷却器３ａ〜３ｄの出力を上げることなく、効率よく冷凍倉庫１の温度を均一にすることができる。
【００４１】
（第２実施形態）
図５〜図７を参照して、本発明の第２実施形態による冷蔵システム２００の構成について説明する。
【００４２】
この第２実施形態では、ファンを複数設けた上記第１実施形態とは異なり、１つのファンを設ける構成の例について説明する。なお、図中において、上記第１実施形態と同様の構成には、第１実施形態と同じ符号を付して図示している。
【００４３】
第２実施形態による冷蔵システム２００は、図５に示すように、冷凍倉庫２０１と、制御装置２０２と、冷却器３ａ、３ｂ、３ｃおよび３ｄと、ファン２０３と、温度センサ５ａ、５ｂ、５ｃおよび５ｄとを備える。なお、冷凍倉庫２０１は、本発明の「冷蔵室」の一例であり、制御装置２０２は、本発明の「制御部」の一例である。また、冷却器３ａ〜３ｄは、本発明の「空調機」の一例であり、ファン２０３は、本発明の「送風機」の一例である。
【００４４】
冷凍倉庫２０１は、冷蔵（冷凍）保蔵される物品が保管されるように構成されている。また、冷凍倉庫２０１は、扉（図示せず）を介して、物品が搬入または搬出される。また、冷凍倉庫２０１は、断熱材を含む材料により、床、壁、天井が形成されている。また、冷凍倉庫２０１は、平面方向（ＸＹ方向）において、仮想的に分けられた複数の領域を含む。たとえば、冷凍倉庫２０１は、平面方向において、Ｘ１方向およびＹ２方向（左奥）の領域、Ｘ１方向およびＹ１方向（左手前）の領域、Ｘ２方向およびＹ２方向（右奥）の領域、および、Ｘ２方向およびＹ１方向（右手前）の領域を含む。
【００４５】
制御装置２０２は、冷蔵システム２００を統括的に制御するように構成されている。具体的には、制御装置２０２は、冷凍倉庫２０１内の温度が設定された温度になるように冷却器３ａ〜３ｄおよびファン２０３を制御するように構成されている。つまり、制御装置２０２は、温度センサ５ａ〜５ｄの測定結果に基づいて、冷却器３ａ〜３ｄの出力およびファン２０３の駆動を制御するように構成されている。
【００４６】
ここで、第２実施形態では、ファン２０３は、冷凍倉庫２０１内の空気を送風するように構成されている。具体的には、ファン２０３は、冷凍倉庫２０１内の複数の領域間を双方向に送風可能に構成されている。また、ファン２０３は風向を変更可能に構成されている。また、ファン２０３は、冷凍倉庫２０１の中央近傍の天井部に設けられている。
【００４７】
また、第２実施形態では、制御装置２０２は、図６および図７に示すように、複数の温度センサ５ａ〜５ｄの測定結果に基づいて、冷凍倉庫２０１内の複数の領域のうち相対的に温度の低い領域から相対的に温度の高い領域に向かって空気を送るようにファン２０３を駆動させるように構成されている。具体的には、制御装置２０２は、複数の温度センサ５ａ〜５ｄの測定結果に基づいて、冷凍倉庫２０１内の複数の領域のうち相対的に温度の低い領域から相対的に温度の高い領域に向かって空気を送るように、ファン２０３の風向を調整して駆動させるように構成されている。
【００４８】
たとえば、図６に示すように、冷凍倉庫２０１のＸ２方向（右）側の領域が相対的に温度が高い場合、ファン２０３の風向を調整して、Ｘ１方向の領域からＸ２方向の領域に向かって冷気が送られる。また、図７に示すように、冷凍倉庫２０１のＸ１方向およびＹ２方向（左奥）の領域が相対的に温度が高い場合、ファン２０３の風向を調整して、Ｘ２方向およびＹ１方向（右手前）の領域からＸ１方向およびＹ２方向（左奥）の領域に向かって冷気が送られる。
【００４９】
なお、第２実施形態による冷蔵システム２００のその他の構成は、上記第１実施形態と同様である。
【００５０】
上記第２実施形態では、以下のような効果を得ることができる。
【００５１】
上記のように第２実施形態の構成においても、上記第１実施形態と同様に、冷凍倉庫２０１内の複数の領域間を双方向に送風可能に構成されているファン２０３、および、複数の温度センサ５ａ〜５ｄの測定結果に基づいて、冷凍倉庫２０１内の複数の領域のうち相対的に温度の低い領域から相対的に温度の高い領域に向かって空気を送るようにファン２０３を駆動させる制御装置２０２を設けることによって、省エネルギー化を図りながら、冷凍倉庫２０１の温度を均一に保つことができる。
【００５２】
また、第２実施形態では、上記のように、ファン２０３を風向を変更可能に構成し、制御装置２０２を、複数の温度センサ５ａ〜５ｄの測定結果に基づいて、冷凍倉庫２０１内の複数の領域のうち相対的に温度の低い領域から相対的に温度の高い領域に向かって空気を送るように、ファン２０３の風向を調整して駆動させるように構成する。これにより、ファン２０３を複数の領域にそれぞれ設けなくても相対的に温度の低い領域の空気を相対的に温度の高い領域に向かって送ることができるので、ファンの数が増加するのを抑制しつつ、冷凍倉庫２０１を構成する複数の領域の各々の温度上昇に対して冷凍倉庫２０１の温度を均一に保つことができる。
【００５３】
また、第２実施形態のその他の効果は、上記第１実施形態と同様である。
【００５４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
たとえば、上記第１および第２実施形態では、冷凍倉庫を備える冷蔵システムに本発明を適用する例について示したが、本発明はこれに限られない。冷凍倉庫以外の冷蔵室を備える冷蔵システムに本発明を適用してもよい。たとえば、冷蔵車や、ショーケース、冷蔵庫などに本発明を適用してもよい。
【００５６】
また、上記第１および第２実施形態では、設定温度に基づく閾値に基づいてファン（送風機）を駆動させる構成の例を示したが、本発明はこれに限られない。本発明では、冷蔵室内の温度差に基づいて、温度差が大きい場合に送風機を駆動させて冷蔵室内の温度を均一するようにしてもよい。
【００５７】
また、上記第１および第２実施形態では、蒸気圧縮式の冷凍サイクル装置を使用して冷却器を構成した例について示したが、本発明はこれに限られない。本発明では、冷却器は、たとえば、吸収式冷凍機であってもよい。
【００５８】
また、上記第１および第２実施形態では、閾値温度が設定温度より２℃高い温度に設定されている構成の例を示したが、本発明はこれに限られない。本発明では、閾値温度を設定温度以下の温度にしてもよいし、季節や立地条件に応じて閾値温度を設定してもよい。
【００５９】
また、上記第１および第２実施形態では、冷媒として二酸化炭素（ＣＯ２）を用いる構成の例を示したが、本発明はこれに限られない。本発明では、冷媒として二酸化炭素以外の冷媒を用いてもよい。たとえば、二酸化炭素以外の他の自然冷媒を用いてもよいし、オゾン層破壊係数がゼロの代替フロン冷媒を用いてもよい。
【００６０】
また、上記第１実施形態では、説明の便宜上、制御装置（制御部）による制御処理を処理フローに沿って順番に処理を行うフロー駆動型のフローチャートを用いて説明したが、本発明はこれに限られない。本発明では、制御部による処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６１】
１、２０１  冷凍倉庫（冷蔵室）
２、２０２  制御装置（制御部）
３ａ、３ｂ、３ｃ、３ｄ  冷却器（空調機）
４ａ、４ｂ、４ｃ、４ｄ、２０３  ファン（送風機）
５ａ、５ｂ、５ｃ、５ｄ  温度センサ
１００、２００  冷蔵システム
【図１】
2015152234.tif 000003
【図２】
2015152234.tif 000004
【図３】
2015152234.tif 000005
【図４】
2015152234.tif 000006
【図５】
2015152234.tif 000007
【図６】
2015152234.tif 000008
【図７】
2015152234.tif 000009